(57)【要約】【課題】家具の脚柱間に架設される横フレームの下方に入れ込んで使用する他の家具が、横フレームの下面に接触して傷つくことを防止できる家具の脚体を提供すること。【解決手段】上下方向を向く複数の脚柱１２と、該脚柱１２，１２間に架設される横フレーム１０と、から構成される家具の脚体３であって、前記横フレーム１０の少なくとも下面には、該横フレーム１０の下面を被覆する弾性力を有する弾性部材１４が、該横フレーム１０の長手方向に沿って取り付けられている。【選択図】図２
2009189588.tif 000002
【特許請求の範囲】
【請求項１】
上下方向を向く複数の脚柱と、該脚柱間に架設される横フレームと、から構成される家具の脚体であって、
前記横フレームの少なくとも下面には、該横フレームの下面を被覆する弾性力を有する弾性部材が、該横フレームの長手方向に沿って取り付けられていることを特徴とする家具の脚体。
【請求項２】
前記横フレームの下面には、下方に開口する溝条が該横フレームの長手方向に沿って形成され、前記溝条に前記弾性部材が嵌合されることを特徴とする請求項１に記載の家具の脚体。
【請求項３】
前記弾性部材には、下方に開口する凹溝が長手方向に沿って形成され、該凹溝内にボルトを挿通して前記横フレームの下面に螺着することで前記弾性部材が取り付けられるとともに、前記凹溝の開口端縁辺のうち幅方向に対向する開口端縁辺の少なくとも一方からは、弾性変形自在な弾性片が、前記凹溝の開口を閉塞するように突出されていることを特徴とする請求項１または２に記載の家具の脚体。
【請求項４】
前記弾性片は、前記凹溝の幅方向に対向する両開口端縁辺から互いに対向するように突設される一対の弾性片からなることを特徴とする請求項３に記載の家具の脚体。
【請求項５】
前記弾性部材の下面における幅方向の端部を、外向きに湾曲する湾曲面としたことを特徴とする請求項３または４に記載の家具の脚体。
【請求項６】
前記弾性部材の少なくとも一方の側端部から上方に向けて舌片が連設され、該舌片によって、前記横フレームの側面の少なくとも下部が被覆されていることを特徴とする請求項１ないし５のいずれかに記載の家具の脚体。
【発明の詳細な説明】
【技術分野】
【０００１】
本発明は、上下方向を向く複数の脚柱と、該脚柱間に架設される横フレームと、から構成される家具の脚体に関する。
【背景技術】
【０００２】
従来、家具の脚体としては、例えば脚杆と、脚杆の上端に取り付けられ、天板の裏面角部に止着される支持金具と、からなるテーブルの脚体等がある。この種のテーブル等の家具において、例えばメインテーブルの天板の下方に、該メインテーブルと組み合わせて使用されるサブテーブルを入れ込んで使用する場合において、サブテーブル（他の家具）の天板の端部や表面が、メインテーブルの天板の裏面角部に取り付けられる支持金具に接触して傷つく虞があるため、この支持金具の角部の側方と下面とを、発泡ポリスチレン樹脂等の軟質材から形成された保護部材（弾性部材）で覆うようにしたもの等がある（例えば、特許文献１参照）。
【０００３】
【特許文献１】特許第３８９１３７４号公報（第２頁、第３図）
【発明の開示】
【発明が解決しようとする課題】
【０００４】
しかしながら、上記特許文献１に記載の家具の脚体にあっては、保護部材（弾性部材）によってサブテーブルの端部や表面が支持金具に接触することが防止されるが、例えば脚杆間に天板を支持する横フレーム等が架設されたテーブル等にあっては、メインテーブルの天板の下方にサブテーブル等を入れ込んで使用する際に、該サブテーブルの天板の端部や表面が、メインテーブルの天板下面に設けられた横フレームの下面に接触して傷つく虞があった。
【０００５】
本発明は、このような問題点に着目してなされたもので、家具の脚柱間に架設される横フレームの下方に入れ込んで使用する他の家具が、横フレームの下面に接触して傷つくことを防止できる家具の脚体を提供することを目的とする。
【課題を解決するための手段】
【０００６】
前記課題を解決するために、本発明の請求項１に記載の家具の脚体は、
上下方向を向く複数の脚柱と、該脚柱間に架設される横フレームと、から構成される家具の脚体であって、
前記横フレームの少なくとも下面には、該横フレームの下面を被覆する弾性力を有する弾性部材が、該横フレームの長手方向に沿って取り付けられていることを特徴としている。
この特徴によれば、弾性部材を横フレームの下面の長手方向に沿って取り付けたことで、椅子やテーブル等の他の家具が横フレームの下方を移動する際において、他の家具が横フレームの下面と直接接触することが回避されるだけでなく、接触音の発生や衝撃が弾性部材により吸収されるため、横フレーム及び他の家具の損傷が防止される。
【０００７】
本発明の請求項２に記載の家具の脚体は、請求項１に記載の家具の脚体であって、
前記横フレームの下面には、下方に開口する溝条が該横フレームの長手方向に沿って形成され、前記溝条に前記弾性部材が嵌合されることを特徴としている。
この特徴によれば、弾性部材を溝条に嵌合することで、弾性部材を横フレームの長手方向に沿って位置ずれなく取り付けることができる。
【０００８】
本発明の請求項３に記載の家具の脚体は、請求項１または２に記載の家具の脚体であって、
前記弾性部材には、下方に開口する凹溝が長手方向に沿って形成され、該凹溝内にボルトを挿通して前記横フレームの下面に螺着することで前記弾性部材が取り付けられるとともに、前記凹溝の開口端縁辺のうち幅方向に対向する開口端縁辺の少なくとも一方からは、弾性変形自在な弾性片が、前記凹溝の開口を閉塞するように突出されていることを特徴としている。
この特徴によれば、弾性部材を横フレームにボルトで螺着することにより、弾性部材と横フレームとを容易に分別廃棄することができる。また、凹溝内にボルトの頭部が収容されることで、ボルトの頭部と他の家具との接触を回避できるばかりか、弾性片によりボルトの頭部を体裁よく隠蔽できるとともに、ボルトを凹溝内に挿通する際には弾性片が弾性変形することで、弾性片が邪魔になることがない。
【０００９】
本発明の請求項４に記載の家具の脚体は、請求項３に記載の家具の脚体であって、
前記弾性片は、前記凹溝の幅方向に対向する両開口端縁辺から互いに対向するように突設される一対の弾性片からなることを特徴としている。
この特徴によれば、一対の弾性片それぞれの開口端縁辺からの突出幅寸法を短寸にすることができるので、弾性片の先端が自重により垂れ下がることが防止される。
【００１０】
本発明の請求項５に記載の家具の脚体は、請求項３または４に記載の家具の脚体であって、
前記弾性部材の下面における幅方向の端部を、外向きに湾曲する湾曲面としたことを特徴としている。
この特徴によれば、横フレームの下方を幅方向に移動する他の家具が弾性部材の端部に接触しても引っ掛かりにくくなる。
【００１１】
本発明の請求項６に記載の家具の脚体は、請求項１ないし５のいずれかに記載の家具の脚体であって、
前記弾性部材の少なくとも一方の側端部から上方に向けて舌片が連設され、該舌片によって、前記横フレームの側面の少なくとも下部が被覆されていることを特徴としている。
この特徴によれば、他の家具が横フレームの側方から接触した場合であっても、横フレームの側面の少なくとも下部が舌片により被覆されていることで、接触音の発生や衝撃が弾性部材により吸収されるため、横フレーム及び他の家具の損傷が防止される。
【発明を実施するための最良の形態】
【００１２】
本発明に係る家具の脚体を実施するための最良の形態を実施例に基づいて以下に説明する。
【実施例】
【００１３】
本発明の実施例を図面に基づいて説明すると、先ず図１は、本発明が適用されたテーブルの全体像を示す斜視図であり、図２は、図１のテーブルを示す要部拡大組立斜視図であり、図３は、脚体を下方から見上げた状態を示す横断面図であり、図４は、図３のＡ−Ａ断面図であり、図５は、図４の要部拡大断面図である。以下、テーブルを使用する使用者側をテーブルの外側、天板の下方をテーブルの内側として説明する。
【００１４】
図１の符号１は、本発明が適用された家具の一例としてのテーブルであり、このテーブル１は、例えば企業の会議室等で使用される会議用テーブルである。図１に示すように、このテーブル１は、天板２と、この天板２を下方から支持する家具の脚体としての脚体３と、から構成されている。
【００１５】
このテーブル１について詳述すると、天板２は、上面が長方形状に形成された略直方体形状の板体である。図４に示すように、天板下面４における外周縁部には、垂直面５と、水平面６と、垂直面５と水平面６とを接続するラウンド面７と、からなる段部８がその全周に亘って形成されている。そして、段部８が形成されたことにより、天板２の周縁は水平方向に向けて凸となる薄肉外周縁部９に形成されている。尚、このような段部８は、例えば切削加工等により形成されている。
【００１６】
脚体３は、図１〜図３に示すように、直線状に形成された４本の横フレーム１０と、横フレーム１０の一端部が連結される４個のブラケット１１と、上下方向を向き、各ブラケット１１の下端に連結されて横フレーム１０及びブラケット１１を下方から支持する上下方向を向く４本の脚柱１２と、から主に構成されている。つまり、脚体３は、床面上に立設される上下方向を向く複数の脚柱１２と、該脚柱１２，１２間を連結するように、各該脚柱１２，１２上端部間に略水平に架設される横フレーム１０と、から構成され、横フレーム１０は、ブラケット４により連結されて平面視略長方形状をなす枠体として形成されている。より詳しくは、これら横フレーム１０は、家具の一部を構成する天板２の下面４を下方から支持可能なように、天板２下面における外周縁部に沿って平面視枠状に配置されている。
【００１７】
これら横フレーム１０及び脚柱１２は、図２及び図３に示すように、アルミ材により押出成型で製造される内部が中空状に形成された角管材である。各横フレーム１０の下面には、図２及び図４に示すように、下方に開口する縦断面略凹状の溝条１３が、横フレーム１０の長手方向全長に亘って形成されている。この溝条１３は、下方に向けて幅狭となるあり溝形状に形成されている。そしてこの溝条１３には、後述するように、所定長さを有する帯板状の弾性部材１４が、横フレーム１０の下面を長手方向全長に亘って全面被覆するように嵌合されている。
【００１８】
尚、横フレーム１０及びブラケット１１の上面外縁部には、図２及び図４に示すように、上方に向けてガイド部１５が突設されている。これらガイド部１５のうち、横フレーム１０から突設されているガイド部１５は、横フレーム１０の長手方向に沿って延設されており、ブラケット１１から突設されているガイド部１５は、２本の横フレーム１０から突設されているガイド部１５が連続して直角をなすように形成されている。
【００１９】
横フレーム１０及びブラケット１１の上面は面一となって天板下面４を支持する水平な枠状の天板支持面１６を構成している。この天板支持面１６上には、天板２の垂直面５をガイド部１５の内側面を摺接させることによって、天板下面４が載置されるようになっている。
【００２０】
次に、横フレーム１０の下面を被覆する弾性部材１４について詳述する。尚、本実施例では１本の横フレーム１０の下面を被覆する弾性部材１４について説明するが、他の横フレーム１０に対応する弾性部材１４は同一構成であるものとする。弾性部材１４は、図４に示すように、横フレーム１０の下方を移動する他の家具の一例である椅子の肘掛１７の上面等が、横フレーム１０に接触することによって損傷してしまうことを防止するために取り付けられた横フレーム１０の保護部材である。
【００２１】
弾性部材１４は、前述したように横フレーム１０の長手方向と同寸の長さに形成されており、軟質樹脂材またはゴム材等を押出成形等の方法により製造した部材であり、所定の弾性力を有する。図２及び図４に示すように、弾性部材１４の上部には、溝条１３と嵌合する上向き凸状の嵌合部１８が長手方向全長に亘り延設されている。この嵌合部１８の外形は、溝条１３の内形と略同一に形成されている。
【００２２】
また、弾性部材１４の下面には、下方に開口する凹溝１９が、長手方向全長に亘って形成されている。この凹溝１９は、後述するボルト２０の頭部２０ａを収容可能な深さを有しており、弾性部材１４の下面から嵌合部１８内に入り込むように凹設されている。
【００２３】
更に、この凹溝１９の底面における幅方向の中央位置には、嵌合部１８上面にかけて貫通する上下方向を向くボルト孔２１が、弾性部材１４の長手方向に沿って所定間隔おきに複数穿設されている。これら複数のボルト孔２１は、横フレーム１０の溝条１３の底面における幅方向の中央位置に、長手方向に沿って所定間隔おきに複数穿設された上下方向を向く各螺着孔２２に対応して形成されており、凹溝１９の下方から挿通したボルト２０を螺着孔２２に螺入できるようになっている。
【００２４】
尚、凹溝１９の幅方向に対向する両開口端縁辺１９ａ，１９ａからは、凹溝１９の幅方向中央位置に向けて、弾性変形自在な一対の弾性片２３，２３がそれぞれ突設されている。これら弾性片２３，２３は、図３及び図４に示すように、開口端縁辺１９ａ，１９ａから、凹溝１９の開口を閉塞するように互いに対向するように突設されるとともに、凹溝１９の全長に亘って延設されている。
【００２５】
また、両弾性片２３，２３は、両開口端縁辺１９ａ，１９ａからの突出長さが略同一に形成されている。その突出長さは、凹溝１９幅方向の長さの半分未満の長さとなっているため、弾性片２３，２３の先端部間には、弾性部材１４の下面の長手方向全長に亘って細長の間隙２４が形成されている。この間隙２４は、凹溝１９に形成された各ボルト孔２１及び横フレーム１０の溝条１３に形成された各螺着孔２２の直下に位置するように形成されている。
【００２６】
また、図４に示すように、両弾性片２３，２３の先端部には、弾性片２３，２３の先端に向けて上向きに傾斜する傾斜面２３ａ，２３ａが形成されている。
【００２７】
図４に示すように、弾性部材１４の外側端部からは上方に向かって舌片２５が延設されている。この舌片２５は、図２及び図３に示すように、弾性部材１４の長手方向全長に亘って形成されており、その外側面は外方に凸であるラウンド状（湾曲面）に形成されている。さらに、弾性部材１４の下面における幅方向の両端部は、外向きに湾曲する湾曲面１４ａとされているため、横フレーム１０の下面下方を幅方向に移動する他の家具が弾性部材１４の端部に接触しても引っ掛かりにくくなる。
【００２８】
次に弾性部材１４の横フレーム１０に対する取り付けについて説明する。先ず図２に示すように、弾性部材１４の嵌合部１８を横フレーム１０の溝条１３に嵌合する。このとき、弾性部材１４は軟質樹脂等により形成された部材であるので、嵌合部１８を撓ませることによって、嵌合部１８を溝条１３に嵌合可能となる。
【００２９】
尚、弾性部材１４の横フレーム１０に対する取り付けは、脚体３を組み立て前において、横フレーム１０の長手方向側の端部から弾性部材１４の嵌合部１８を溝条１３に嵌合して挿通し、長手方向にスライドさせることによって取り付けてもよい。
【００３０】
そして、図２に示すように、ボルト２０を凹溝１９の下側からボルト孔２１に挿通し、横フレーム１０側の螺着孔２２に螺着する。このとき、図５に示すように、ボルト２０を弾性片２３，２３間に形成された間隙２４を通してボルト孔２１に挿通することができる。
【００３１】
つまり、ボルト２０を挿通する際に、頭部２０ａに両傾斜面２３ａ，２３ａが当接することで弾性片２３，２３が上方に向けて撓むように変形するが、頭部２０ａが弾性片２３，２３を通過して凹溝１９内に収容されたときに、弾性片２３，２３が弾性復帰力により復帰して元の突設位置（図５中２点鎖線）に復帰して頭部２０ａが隠蔽される。
【００３２】
このように、弾性部材１４を横フレーム１０に螺着する際には、弾性片２３，２３を捲ることなく、弾性片２３，２３の先端部間に形成された間隙２４にボルト２０を押し込むだけで、該間隙２４の直上に形成された各螺着孔２２にボルト２０を簡単に螺着することができる。尚、一対の弾性片２３，２３の先端部間に間隙２４が形成されることで、各螺着孔２２を目視により確認することも可能となる。さらに、頭部２０ａにより弾性片２３，２３が変形しても、弾性復帰力によって元の突設位置（元の形状）に戻るため、蓋部材等の別部材にて凹溝１９の開口を閉塞しなくても、頭部２０ａを簡単に隠蔽することができる。
【００３３】
上述のように横フレーム１０に取り付けられた弾性部材１４は、横フレーム１０下面を長手方向に亘り被覆するとともに、外側端部で上方に延設された舌片２５によって横フレーム１０の外側面下端部を被覆する。このとき、舌片２５の外側面は外方に凸であるラウンド状に形成されているので、外側方から椅子の肘掛１７等が横フレーム１０に当接するような場合であっても、当接の衝撃を十分に吸収できるようになっている。
【００３４】
以上説明したように、本発明の適用された実施例におけるテーブル１にあっては、各脚柱１２，１２間に架設された横フレーム１０の下面の長手方向に沿って弾性部材１４が取り付けていることで、椅子等の他の家具を天板２の下方に収納する際等において、該椅子の肘掛１７等が、天板２の下面外周縁部に沿って配置された横フレーム１０の下面と直接接触することが回避されるだけでなく、接触音の発生や衝撃が弾性力を有する弾性部材１４により吸収されるため、横フレーム１４及び椅子の肘掛１７双方の損傷が防止される。
【００３５】
また、弾性部材１４を横フレーム１０の長手方向に沿って設けられた溝条１３に嵌合することにより、帯状の弾性部材１４を横フレーム１０の長手方向に沿って位置ずれなく取り付けることができる。
【００３６】
また、弾性部材１４と横フレーム１０をボルト２０で螺着することにより、脚体３の廃棄時に弾性部材１４と横フレーム１０とを分別することができる。また、凹溝１９内にボルト２０の頭部２０ａを収容することができるので、ボルト２０の頭部２０ａと肘掛１７との接触を回避できるばかりか、凹溝１９の幅方向の開口端縁辺１９ａ，１９ａから突設された一対の弾性片２３，２３により、ボルト２０の頭部２０ａを体裁よく隠蔽できる。
【００３７】
また、弾性片２３，２３は、凹溝１９の幅方向に対向する両開口端縁辺１９ａ，１９ａから、凹溝１９の幅方向の中央位置に向かってそれぞれ突設されるので、一片の弾性片２３で頭部２０ａをテーブル１の外面視から隠蔽するよりも、弾性片２３，２３の開口端縁辺１９ａ，１９ａからの突設長さを短くすることが出来るので、弾性片２３，２３が自重により下方に向かって撓んでしまうことがない。
【００３８】
また、弾性片２３，２３の先端部には、弾性片２３，２３の先端に向けて上向きに傾斜する傾斜面２３ａ，２３ａが形成されているので、横フレーム１０の下方を椅子の肘掛１７等が横フレーム１０の幅方向に通過する際に、弾性片２３，２３が椅子の肘掛１７等の他の家具との間に生じる摩擦によって、椅子の肘掛１７等が通過する方向に巻き込まれることがなくなる。
【００３９】
また、弾性部材１４の外側端部からは上方に向かって舌片２５が延設されており、舌片２５によって、横フレーム１０の外側面下端部が被覆されているので、椅子の肘掛１７等が外側面下端部に当接する場合であっても、横フレーム１０の外側面下端部を被覆する舌片２５が椅子の肘掛１７等に当接することで当接の衝撃を吸収し、椅子の肘掛１７等と横フレーム１０の双方の損傷を防ぐことができる。
【００４０】
以上、本発明の実施例を図面により説明してきたが、具体的な構成はこれら実施例に限られるものではなく、本発明の要旨を逸脱しない範囲における変更加があっても本発明に含まれる。
【００４１】
例えば、前記実施例では、本発明を適用した家具としてテーブル１を例に説明したが、脚柱１２と横フレーム１０とによって構成される脚体３を有している家具であれば、例えば椅子やテレビ台等であってもよい。
【００４２】
また、前記実施例では、脚体３が、横フレーム１０と、ブラケット１１と、脚柱１２と、から構成されていたが、ブラケット１１が脚柱１２の上部に一体に形成され、該脚柱１２の上端と横フレーム１０とで脚体３が構成されるようにしてもよい。
【００４３】
また、前記実施例では、脚体３における横フレーム１０が平面視枠状に形成されていたが、各脚柱１２，１２間に架設されていれば、必ずしも平面視枠状に形成されていなくてもよい。
【図面の簡単な説明】
【００４４】
【図１】本発明が適用されたテーブルの全体像を示す斜視図である。
【図２】図１のテーブルを示す要部拡大組立斜視図である。
【図３】脚体を下方から見上げた状態を示す横断面図である。
【図４】図３のＡ−Ａ断面図である。
【図５】図４の要部拡大断面図である。
【符号の説明】
【００４５】
１                テーブル（家具）
２                天板
３                脚体（家具の脚体）
１０              横フレーム
１１              ブラケット
１２              脚柱
１３              溝条
１４              弾性部材
１７              椅子の肘掛（他の家具）
１９              凹溝
１９ａ            開口端縁辺
２０              ボルト
２０ａ            頭部
２１              ボルト孔
２２              螺着孔
２３              弾性片
２３ａ            傾斜面
２４              間隙
２５              舌片
【図１】
2009189588.tif 000003
【図２】
2009189588.tif 000004
【図３】
2009189588.tif 000005
【図４】
2009189588.tif 000006
【図５】
2009189588.tif 000007